【手続補正書】
【提出日】平成25年6月20日(2013.6.20)
【手続補正１】
【補正対象書類名】特許請求の範囲
【補正対象項目名】全文
【補正方法】変更
【補正の内容】
【特許請求の範囲】
【請求項１】
磁性の可動鉄心、及びこの可動鉄心の被吸引部に対向する磁極を有する磁性の固定鉄心を備え、前記可動鉄心が前記固定鉄心に吸引される動作によって自動遮断する回路遮断器において、
前記可動鉄心における前記固定鉄心の磁極側に、前記固定鉄心の磁極に対向して設けられ前記可動鉄心とで可動鉄心部を構成する磁性の補助鉄心が設けられ、
前記磁極及び前記可動鉄心の被吸引部の相互間に生じる磁気吸引力と、前記磁極及び前記補助鉄心の相互間に生じる磁気吸引力とによって、前記可動鉄心組体が前記固定鉄心に吸引される動作によって自動遮断する
ことを特徴とする回路遮断器。
【請求項２】
請求項１に記載の回路遮断器において、
前記可動鉄心と前記補助鉄心とが一体化されている
ことを特徴とする回路遮断器。
【請求項３】
請求項２に記載の回路遮断器において、
前記可動鉄心と前記補助鉄心とが別体であり、これら別体の前記可動鉄心と前記補助鉄心とが結合手段で一体化されている
ことを特徴とする回路遮断器。
【請求項４】
請求項１〜請求項３の何れか一に記載の回路遮断器において、
前記補助鉄心が設けられる前の前記可動鉄心の引き外しストロークと前記補助鉄心が設けられた後の前記可動鉄心の引き外しストロークとが同じである
ことを特徴とする回路遮断器。
【請求項５】
請求項１〜請求項４の何れか一に記載の回路遮断器において、
前記可動鉄心部と前記固定鉄心との間の初期ギャップが、前記補助鉄心が設けられる前より、前記補助鉄心が設けられた後の方が短い
ことを特徴とする回路遮断器。
【請求項６】
請求項１〜請求項５の何れか一に記載の回路遮断器において、
前記固定鉄心が、互いに所定距離隔てて対向する一対の側壁部と、前記一対の側壁部の各々の一端を橋絡する橋絡部とで構成され、
負荷電流が流れる導体が、前記一対の側壁部と前記橋絡部とで囲まれると共に前記橋絡部寄りに配設され、
前記一対の側壁部の各々の互いに対向する他端が前記磁極である
ことを特徴とする回路遮断器。
【請求項７】
請求項６に記載の回路遮断器において、
前記互いに対向する他端の前記磁極の前記橋絡部と反対側の端面に前記可動鉄心が対向し、
前記互いに対向する前記磁極の互いに対向する側面に前記補助鉄心が対向する
ことを特徴とする回路遮断器。
【請求項８】
請求項６に記載の回路遮断器において、
前記補助鉄心と前記固定鉄心の前記磁極との間の初期ギャップの前記対向の方向の長さＡが、前記可動鉄心と前記固定鉄心の前記磁極との間の初期ギャップの前記対向の方向の長さＢより短い
ことを特徴とする回路遮断器。
【請求項９】
請求項６に記載の回路遮断器において、
前記互いに対向する前記磁極の前記橋絡部と反対側の端面を仮想的に延長した面と、前記補助鉄心の前記橋絡部側の面を仮想的に延長した面とが同一面もしくは平行ではない
ことを特徴とする回路遮断器。
【請求項１０】
請求項６に記載の回路遮断器において、
前記互いに対向する前記磁極の前記橋絡部と反対側の端面を仮想的に延長した面と、前記補助鉄心の前記橋絡部側の面を仮想的に延長した面とが同一面もしくは平行である
ことを特徴とする回路遮断器。
【請求項１１】
請求項１〜請求項１０の何れか一に記載の回路遮断器において、
前記可動鉄心部は、その中間部で前記固定鉄心に枢着され、この枢着された部分から離間した両端の一方に遮断器トリップを行う操作片部を有し、前記両端の他方に前記被吸引部を有し、
前記磁極に前記被吸引部が磁気的に吸引されてない非吸引動作状態において、前記磁極の前記被吸引部側の磁極端面と、前記被吸引部との対向ギャップ長が、前記枢着された部分から離れるほど長く、
前記磁極に前記被吸引部が吸引されてない非吸引動作状態において、前記補助鉄心と前記磁極とが対向している全範囲内で前記補助鉄心と前記磁極との対向ギャップ長が実質的に一定である
ことを特徴とする回路遮断器。
【請求項１２】
請求項１〜請求項１１の何れか一に記載の回路遮断器において、
前記磁極に前記被吸引部が磁気的に吸引されている状態において、前記補助鉄心が前記固定鉄心と当接していない
ことを特徴とする回路遮断器。
【請求項１３】
請求項６〜請求項１２の何れか一に記載の回路遮断器において、
前記補助鉄心が、前記固定鉄心の一対の側壁部の間に配設され、
前記補助鉄心の、前記固定鉄心の一対の側壁部の対向方向の幅が、前記被吸引部の前記一対の側壁部の対向方向の幅より狭い
ことを特徴とする回路遮断器。 
【手続補正２】
【補正対象書類名】明細書
【補正対象項目名】０００４
【補正方法】変更
【補正の内容】
【０００４】
このような回路遮断器の引き外し装置においては、接続導体５とシャント端子に接続されたヒータ３に電流が流れると、固定鉄心１と可動鉄心１０とを通る磁束が発生する。電磁による引き外し時には磁束によって生じる吸引力により、可動鉄心１０が復帰スプリング１１のばね力に反して瞬時に固定鉄心１に吸引される。この可動鉄心１０の作動により開閉機構部のトリップバーは回動され自動遮断が行われる。また、熱動による引き外し時にはバイメタル８の湾曲動作により開閉機構部のトリップバーは回動され、その後は上記と同様の動作により自動遮断される。 
【手続補正３】
【補正対象書類名】明細書
【補正対象項目名】００１４
【補正方法】変更
【補正の内容】
【００１４】
引き外し装置２４は、固定鉄心３１、ヒータ導体３２、バイメタル等の熱動素子３３、リベット３４、調整ねじ３５、止めナット３６、可動鉄心３７、補助鉄心４１、復帰スプリング３８、及びシャフト３９を備えている。 
【手続補正４】
【補正対象書類名】明細書
【補正対象項目名】００３０
【補正方法】変更
【補正の内容】
【００３０】
前述のように、本実施の形態１には、磁性の可動鉄心３７、およびこの可動鉄心３７の被吸引部３７ａに対向する磁極を有する磁性の固定鉄心３１を備え、前記可動鉄心３７を回動自在に支持する支持構造部が前記固定鉄心に設けられ、前記固定鉄心３１の磁極および前記可動鉄心の被吸引部３７ａの相互間に生じる磁気吸引力により前記可動鉄心３７と前記補助鉄心４１が前記固定鉄心３１に吸引される動作によって自動遮断する回路遮断器であって、動作時には前記補助鉄心４１が前記固定鉄心３１の内側へもぐり込む構造の低インスト形の回路遮断器が例示されている。 
【手続補正５】
【補正対象書類名】明細書
【補正対象項目名】００３７
【補正方法】変更
【補正の内容】
【００３７】
前記固定鉄心３１の磁極に吸引されていない状態における前記補助鉄心４２と前記固定鉄心との間の初期ギャップをＢ２としたとき、可動鉄心３７と固定鉄心３１との初期ギャップＡとの大小関係は、Ｂ２＜Ａとなる。 
【手続補正６】
【補正対象書類名】明細書
【補正対象項目名】００４０
【補正方法】変更
【補正の内容】
【００４０】
また、前述の本願発明の実施の形態１及び実施の形態は、更に言及すれば、以下のような具体的な特徴を有している。
［特徴１］
磁性の可動鉄心３７、及びこの可動鉄心３７の被吸引部３７ａに対向する磁極３１ｆを有する磁性の固定鉄心３１を備え、前記可動鉄心３７が前記固定鉄心３１に吸引される動作によって自動遮断する回路遮断器において、
前記可動鉄心３７における前記固定鉄心３１の磁極３１ｆ側に、前記固定鉄心３１の磁極３１ｆに対向して設けられ前記可動鉄心３７とで可動鉄心部５１を構成する磁性の補助鉄心４１が設けられ、
前記磁極３１ｆ及び前記可動鉄心３７の被吸引部３７ａの相互間に生じる磁気吸引力と、前記磁極３１ｆ及び前記補助鉄心４１の相互間に生じる磁気吸引力とによって、前記可動鉄心部５１が前記固定鉄心３１に吸引される動作によって自動遮断する
ことを特徴とする回路遮断器。
［特徴２］
特徴１に記載の回路遮断器において、
前記可動鉄心３７と前記補助鉄心４１とが一体化されている（図２、図３、図６、図７を参照）
ことを特徴とする回路遮断器。
［特徴３］
特徴２に記載の回路遮断器において、
前記可動鉄心３７と前記補助鉄心４１とが別体であり、これら別体の前記可動鉄心３７と前記補助鉄心４１とが結合手段で一体化されている
ことを特徴とする回路遮断器。
［特徴４］
特徴１〜特徴３の何れか一に記載の回路遮断器において、
前記補助鉄心４１が設けられる前の前記可動鉄心３７の引き外しストロークと前記補助鉄心４１が設けられた後の前記可動鉄心３７の引き外しストロークとが同じである
ことを特徴とする回路遮断器。
なお、前記可動鉄心３７の引き外しストロークとは、可動鉄心３７が固定鉄心３１に吸着されるまでの操作片部３７ｃの移動距離である。
［特徴５］
特徴１〜特徴４の何れか一に記載の回路遮断器において、
前記可動鉄心部５１と前記固定鉄心３１との間の初期ギャップが、前記補助鉄心が設けられる前（前記可動鉄心３７と前記固定鉄心３１との間の初期ギャップ）より、前記補助鉄心が設けられた後（前記補助鉄心４１と前記固定鉄心３１との間の初期ギャップ）の方が短い
ことを特徴とする回路遮断器。
なお、前記「初期ギャップ」とは、「前記可動鉄心部５１が前記固定鉄心３１に磁気的に吸引されていない状態における前記可動鉄心部５１と前記固定鉄心３１との間の前記磁気的吸引に寄与する間隔（ギャップ）のうちの最短の間隔（ギャップ）」のことである。
［特徴６］
特徴１〜特徴５の何れか一に記載の回路遮断器において、
前記固定鉄心３１が、互いに所定距離隔てて対向する一対の側壁部３１ｄ，３１ｄと、前記一対の側壁部３１ｄ，３１ｄの各々の一端を橋絡する橋絡部３１ｃとで構成され、
負荷電流が流れるヒータ導体３２が、前記一対の側壁部３１ｄ，３１ｄと前記橋絡部３１ｃとで囲まれると共に前記橋絡部３１ｃ寄りに配設され、
前記一対の側壁部３１ｄ，３１ｄの各々の互いに対向する他端が前記磁極３１ｆ，３１ｆである（図２、図３、図６、図７参照）
ことを特徴とする回路遮断器。
［特徴７］
特徴６に記載の回路遮断器において、
前記互いに対向する他端の前記磁極３１ｆ，３１ｆの前記橋絡部３１ｃと反対側の磁極端面３１ｅに前記可動鉄心３７が対向し、（図２参照）
前記互いに対向する前記磁極３１ｆ，３１ｆの互いに対向する側面３１ｆｅに前記補助鉄心４１が対向する（図３参照）ことを特徴とする回路遮断器。
［特徴８］
特徴６に記載の回路遮断器において、
前記補助鉄心４１と前記固定鉄心３１の前記磁極３１ｆとの間の初期ギャップの前記対向方向の長さＢが、前記可動鉄心３７と前記固定鉄心３１の前記磁極３１ｆとの間の初期ギャップの前記対向方向の長さＡより短い（図３、図７参照）
ことを特徴とする回路遮断器。
［特徴９］
特徴６に記載の回路遮断器において、
前記互いに対向する前記磁極３１ｆ，３１ｆの前記橋絡部３１ｃと反対側の磁極端面３１ｅを仮想的に延長した面と、前記補助鉄心４１の前記橋絡部３１ｃ側の面４１ｅを仮想的に延長した面とが同一面もしくは平行ではない（図２、図３参照）
ことを特徴とする回路遮断器。
［特徴１０］
請求項６に記載の回路遮断器において、
前記互いに対向する前記磁極３１ｆ，３１ｆの前記橋絡部３１ｃと反対側の磁極端面３１ｅを仮想的に延長した面と、前記補助鉄心４１の前記橋絡部側３１ｃの面４１ｅを仮想的に延長した面とが同一面もしくは平行である（図６、図７参照）
ことを特徴とする回路遮断器。
［特徴１１］
特徴１〜特徴１０の何れか一に記載の回路遮断器において、
前記可動鉄心部５１は、その中間部で前記固定鉄心３１にシャフト３９で枢着され、この枢着された部分から離間した両端の一方に遮断器トリップを行う操作片部３７ｃを有し、前記両端の他方に前記被吸引部３７ａを有し、（図１、図２、図５、図６参照）
前記磁極３１ｆに前記被吸引部３７ａが磁気的に吸引されてない非吸引動作状態において、前記磁極３１ｆの前記被吸引部３７ａ側の磁極端面３１ｅと、前記被吸引部３７ａとの対向ギャップ長が、前記枢着された部分から離れるほど長く、
前記磁極３１ｆに前記被吸引部３７ａが磁気的に吸引されてない非吸引動作状態において、前記補助鉄心４１と前記磁極３１ｆとが対向している全範囲内で前記補助鉄心４１と前記磁極３１ｆとの対向ギャップ長Ｂが実質的に一定である（図２、図３、図６、図７参照）
ことを特徴とする回路遮断器。
［特徴１２］
特徴１〜特徴１１の何れか一に記載の回路遮断器において、
前記磁極３１ｆに前記被吸引部３７ａが磁気的に吸引されている状態において、前記補助鉄心４１が前記固定鉄心３１と当接していない（図２、図３、図６、図７参照）
ことを特徴とする回路遮断器。
［特徴１３］
特徴６〜特徴１２の何れか一に記載の回路遮断器において、
前記補助鉄心４１が前記一対の側壁部３１ｄ，３１ｄの間に配設され、
前記補助鉄心４１の前記一対の側壁部３１ｄ，３１ｄの対向方向の幅４１Ｗが、前記被吸引部３７ａの前記一対の側壁部３１ｄ，３１ｄの対向方向の幅３７Ｗより狭い（図３、図７を参照）
ことを特徴とする回路遮断器。
［特徴１４］
磁性の可動鉄心部３７、及びこの可動鉄心部５１の被吸引部３７ａに対向する磁極３１ｆを有する磁性の固定鉄心３１を備え、前記磁極３１ｆ及び被吸引部３７ａの相互間に生じる磁気吸引力により前記可動鉄心部５１が前記固定鉄心３１に吸引される動作によって自動遮断する回路遮断器であって、可動鉄心部５１の引きはずしストロークを減らすことなく、可動鉄心部５１と固定鉄心３１の初期ギャップを縮める補助鉄心４１を用いたことを特徴とする低インスト形の回路遮断器。
［特徴１５］
特徴１４に記載の回路遮断器において、
前記可動鉄心３７および、前記可動鉄心３７に接合されている補助鉄心４１が回動自在に取り付けられており、吸引動作前において、前記補助鉄心４１が固定鉄心３１の内側へもぐり込んでいることを特徴とする低インスト形の回路遮断器。
［特徴１６］
特徴１５に記載の回路遮断器において、
前記可動鉄心３７の被吸引部３７ｅと前記固定鉄心３１の磁極との初期ギャップＡと、前記補助鉄心４１と前記固定鉄心３１の磁極３１ｆとの間の初期ギャップＢとの大小関係が、Ｂ＜Ａであることを特徴とする低インスト形の回路遮断器。
［特徴１７］
特徴１４から特徴１６のいずれか一に記載の回路遮断器において、
前記補助鉄心４１が前記固定鉄心３１の磁極端面３１ｅに当接するような形状であり、前記固定鉄心３１と前記補助鉄心４１の初期ギャップを前記補助鉄心４１底面側まで均等としているため、可動鉄心回動軸（シャフト等）３９から離れた可動鉄心部５１の底面側でも引き付け力が働くことを特徴とする低インスト形の回路遮断器。
［特徴１８］
特徴１４から特徴１６のいずれか一に記載の回路遮断器において、
前記補助鉄心４１が前記固定鉄心３１の磁極端面３１ｅに一定のギャップを保ち、沿うような形状であって前記固定鉄心３１と前記補助鉄心４１の初期ギャップを前記補助鉄心４１底面側まで均等としているため、可動鉄心回動軸３９から離れた可動鉄心部の底面側でも引き付け力が働くことを特徴とする低インスト形の回路遮断器。
［特徴１９］
前記可動鉄心部・固定鉄心部の外形寸法増加なく吸引力の向上を実現し、さらに標準機種から低インスト形遮断器の仕様変更に際して変更箇所が一点のみの安価な低インスト形の回路遮断器を提供できる。
［特徴２０］
磁性の可動鉄心、及びこの可動鉄心の被吸引部に対向する磁極を有する磁性の固定鉄心を備え、前記磁極及び被吸引部の相互間に生じる磁気吸引力により前記可動鉄心が前記固定鉄心に吸引される動作によって自動遮断する回路遮断器であって、前記固定鉄心に簡素な形状の補助鉄心という磁力増幅部品が設けられている低インスト形の回路遮断器を提供できる。
［特徴２１］
従来のような可動鉄心と固定鉄心との対向面積を増す、比例的な吸引力増加方式をとるのではなく、初期ギャップを減らすことによって、２乗比例的な吸引力増加方式をとることを特徴とする。また、可動鉄心の引きはずしストロークを減らすことなく可動鉄心部と固定鉄心の初期ギャップを短縮するため、補助鉄心が固定鉄心の内側へもぐり込んで回動することを特徴とする。さらに標準機種から低インスト形遮断器の仕様変更に際して変更箇所が一点のみの安価な回路遮断器を提供できる。
【手続補正７】
【補正対象書類名】明細書
【補正対象項目名】００４２
【補正方法】変更
【補正の内容】
【００４２】
２０    回路遮断器、                  ２１    ベース、
２２    カバー、                      ２３    電源側端子、
２４    引き外し装置、                ２５    可動子ホルダ、
２６    取付けねじ、                  ２７    開閉機構部、
２８    負荷側端子、                  ３１    固定鉄心、
３１ａ    スプリング掛止片部、        ３１ｂ    脚部、
３１ｃ    橋絡部、                    ３１ｄ    側壁部、
３１ｅ    当接面（磁極の端面）、      ３１ｆ    磁極、
３１ｆｅ    磁極の側面、              ３１ｇ    ストッパ、
３２    ヒータ導体、                  ３２ａ    雌ねじ、
３２ｂ    ヒータ部、                  ３３    熱動素子（バイメタル）、
３４    リベット、                    ３５    調整ねじ、
３６    止めナット、                  ３７    可動鉄心
３７ａ    被吸引部（可動片）、        ３７ｂ    軸受け部、
３７ｃ    操作片部、                  ３８    復帰スプリング、
３９    シャフト、                    ４１  補助鉄心、  ※実施の形態１
４１ａ  矩形状切欠部
４２  補助鉄心（実施の形態２）、
５１  可動鉄心部（可動鉄心＋補助鉄心）（実施の形態１）、
Ａ    可動鉄心と固定鉄心との初期ギャップ、
Ｂ１    補助鉄心と可動鉄心との初期ギャップ（実施の形態１）、
Ｂ２    補助鉄心と可動鉄心との初期ギャップ（実施の形態２）。